(57)【要約】【課題】冷却ファン側に識別情報を備えることなく、冷却ファンを識別し、その特性に応じて冷却ファンの回転を制御することができる電源装置を提供する。【解決手段】入力電力を所望の電力に変換する電力変換部と、駆動信号に応じた回転数で回転して空気流を発生させることにより前記電力変換部を冷却する冷却ファンと、前記冷却ファンの回転数を検出し、前記回転数を示す回転出力信号を出力する検出部と、前記冷却ファンとして搭載され得る複数の送風器の各制御パラメータを記憶する記憶部と、前記回転出力信号に基づいて前記冷却ファンに対応した制御パラメータを前記記憶部から読み出し、読み出した前記制御パラメータに基づいて前記駆動信号を発生させて前記冷却ファンの回転を制御する制御部と、を有する。【選択図】図１
2015220317.tif 000002
【特許請求の範囲】
【請求項１】
入力電力を所望の電力に変換する電力変換部と、
駆動信号に応じた回転数で回転して空気流を発生させることにより前記電力変換部を冷却する冷却ファンと、
前記冷却ファンの回転数を検出し、前記回転数を示す回転出力信号を出力する検出部と、
前記冷却ファンとして搭載され得る複数の送風器の各制御パラメータを記憶する記憶部と、
前記回転出力信号に基づいて前記冷却ファンに対応した制御パラメータを前記記憶部から読み出し、読み出した前記制御パラメータに基づいて前記駆動信号を発生させて前記冷却ファンの回転を制御する制御部と、
を有する電源装置。
【請求項２】
前記制御部は、
所定の制御パラメータに基づいて前記駆動信号を発生させて前記冷却ファンに出力する請求項１に記載の電源装置。
【請求項３】
前記制御部は、
少なくとも前記電力変換部の温度、消費電力、負荷電流、風量等の前記冷却ファンによる冷却量を決定するための情報を用いて、前記冷却ファンの制御パラメータを前記記憶部から読み出す請求項１又は請求項２に記載の電源装置。
【請求項４】
前記記憶部は、所定の制御パラメータに基づいた駆動信号で回転する前記冷却ファンの回転出力信号に関する情報を予め記憶し、
前記制御部は、前記冷却ファンの起動時に、前記冷却ファンから出力された回転出力信号と、前記記憶部に記憶された回転出力信号とを比較することで、自装置に接続された前記冷却ファンの種類を特定する請求項１から請求項３のいずれか一項に記載の電源装置。
【請求項５】
前記駆動信号は、ＰＷＭ駆動信号である請求項１から請求項４のいずれか一項に記載の電源装置。
【発明の詳細な説明】
【技術分野】
【０００１】
本発明は、家電機器や産業機器の各種機器の電力系統における電源装置に関する。
【背景技術】
【０００２】
電源装置では、実装されたパワートランジスタなどの高発熱部品を冷却するために冷却ファンが用いられている（特許文献１）。この種の電源装置は、一般にサーミスタを有し、そのサーミスタが測定した高発熱部品の温度変化に応じて自装置内に有した冷却ファンの回転を制御する。
近年、高発熱部品の消費電力の多様化に伴い、自装置内に内蔵されている冷却ファンから、実装された高発熱部品の消費電力に適した複数の冷却ファンに差し替えて、その冷却ファンに最適な制御を行う電源装置がある（特許文献２）。特許文献２の電源装置では、複数の冷却ファンから送信される識別信号から自装置に接続された冷却ファンを特定することで、その冷却ファンに最適な制御を行う。
【先行技術文献】
【特許文献】
【０００３】
【特許文献１】特開平１０−３０７６４８号公報
【特許文献２】特開２００６−１８４９１号公報
【発明の概要】
【発明が解決しようとする課題】
【０００４】
しかしながら、特許文献２に記載の方法では、複数の冷却ファンの各々を識別する識別情報を出力する機能を有する冷却ファンを用意しておく必要があり、冷却ファンの選択に制約が生じる。
【０００５】
本発明は、このような事情に鑑みてなされたもので、その目的は、冷却ファン側に識別情報を備えることなく、冷却ファンを識別し、その特性に応じて冷却ファンの回転を制御することができる電源装置を提供することを目的としている。
【課題を解決するための手段】
【０００６】
本発明の一態様は、入力電力を所望の電力に変換する電力変換部と、駆動信号に応じた回転数で回転して空気流を発生させることにより前記電力変換部を冷却する冷却ファンと、前記冷却ファンの回転数を検出し、前記回転数を示す回転出力信号を出力する検出部と、前記冷却ファンとして搭載され得る複数の送風器の各制御パラメータを記憶する記憶部と、前記回転出力信号に基づいて前記冷却ファンに対応した制御パラメータを前記記憶部から読み出し、読み出した前記制御パラメータに基づいて前記駆動信号を発生させて前記冷却ファンの回転を制御する制御部と、を有する電源装置である。
【０００７】
また、本発明の一態様は、上述した電源装置であって、前記制御部は、所定の制御パラメータに基づいて前記駆動信号を発生させて前記冷却ファンに出力する。
【０００８】
また、本発明の一態様は、上述した電源装置であって、前記制御部は、少なくとも前記電力変換部の温度、消費電力、負荷電流、風量等の前記冷却ファンによる冷却量を決定するための情報を用いて、前記冷却ファンの制御パラメータを前記記憶部から読み出す。
【０００９】
また、本発明の一態様は、上述した電源装置であって、所定の制御パラメータに基づいた駆動信号で回転する前記冷却ファンの回転出力信号に関する情報を予め記憶し、前記制御部は、前記冷却ファンの起動時に、前記冷却ファンから出力された回転出力信号と、前記記憶部に記憶された回転出力信号とを比較することで、自装置に接続された前記冷却ファンの種類を特定する。
【００１０】
また、本発明の一態様は、上述した電源装置であって、前記駆動信号は、ＰＷＭ駆動信号である。
【発明の効果】
【００１１】
以上説明したように、本発明によれば、冷却ファン側に識別情報を備えることなく、冷却ファンの識別ができる。このため、冷却ファンの選択の自由度が広がる。
【図面の簡単な説明】
【００１２】
【図１】本発明の実施形態における電源装置の構成例を示す図である。
【図２】本発明の実施形態における判別テーブルの一例を示す。
【図３】本発明の実施形態における冷却ファンＡと冷却ファンＢとのそれぞれの冷却特性例を示す図である。
【図４】本発明の実施形態における制御パラメータテーブルの一例を示す。
【図５】本発明の実施形態における電源装置１の動作のフローチャートである。
【発明を実施するための形態】
【００１３】
以下、実施形態の電源装置について、図面を参照して説明する。
以下、本発明の実施形態について説明する。図１は、本発明の実施形態における電源装置１の構成例を示す図である。図１に示す電源装置１は、電力変換部２、冷却ファン部３、入力部４、制御部５、記憶部６及び出力部７を備える。
電源装置１は、入力部４に入力された電圧（以下、「入力電圧」という。）を必要とされる電圧（以下、「出力電圧」という。）に変換するとともに、冷却ファン部３に備えられた冷却ファン３１の駆動制御を行う装置である。また、電源装置１は、冷却ファン３１の特性を判別し、冷却ファン３１の特性に合わせて冷却ファン３１の回転を制御するための制御パラメータを取得する機能を有している。これにより、電源装置１は、電源装置１内部（以下、適宜、自装置内と称す。）に内蔵されている冷却ファンが、実装された高発熱部品の消費電力に適した別の冷却ファンに差し替えられた場合であっても、その差し替え後の冷却ファンの特性に合わせて最適な制御を行う。本実施形態では、電源装置１は、冷却ファン３１として、後述する図２に示す特性の異なる二つの冷却ファンＡと冷却ファンＢの特性を判別する機能を有しているものとする。ただし、この例に限定されず、電源装置１は、任意の種類の冷却ファンの特性を判別するものとすることができる。
【００１４】
入力部４は、電力変換部２に接続される。入力部４は、例えば商用電源やＡＣアダプタ等から交流又は直流の入力電圧が入力される。
電力変換部２は、入力部４及び出力部７に接続されている。電力変換部２は、制御部５に接続されている。電力変換部２は、入力部４に入力された入力電力を所望の出力電力に変換する。電力変換部２は、変換した出力電力を出力部７を介して負荷に出力する。電力変換部２は、ＤＣ−ＤＣコンバータやＡＣ−ＤＣコンバータ等の電力変換回路を備える。また、電力変換部２は、温度センサ（不図示）を有する。電力変換部２は、温度センサで電力変換部２の周囲温度を測定し、測定した周囲温度を制御部５に出力する。温度センサは、例えばサーミスタ素子や温度センサＩＣ（Integrated Circuit)である。
【００１５】
電力変換部２において、入力電力から出力電力を生成する際の電力変換効率が１００％ではなく、電力変換損失が発生する。例えば、電力変換部２は、電力変換効率が８０％であり、出力電力として１００Ｗの電力を生成する場合、入力電力として１２５Ｗの電力が必要になる。この場合、２５Ｗの電力が電力変換部２の発熱部品により熱に変換されて、電力変換部２が発熱する。この発熱により、電力変換部２内の部品の温度が保証温度を超えると、電力変換部２の動作に影響を及ぼす場合がある。このため、電源装置１は、冷却ファン３１により電力変換部２内の部品を冷却している。
【００１６】
冷却ファン部３は、温度センサで測定した電力変換部２の周囲温度に応じて、電力変換部２内の部品を冷却する。また、冷却ファン部３は、一般に、電源供給線とグランド線と回転数を制御する駆動信号線と回転数を出力するセンサ線とを有する。冷却ファン部３は、冷却ファン３１及び検出部３２を備える。
冷却ファン３１は、電源供給線に接続されている。冷却ファン３１は、制御部５から電源供給線を介して駆動信号が供給される。冷却ファン３１は、制御部５から供給された駆動信号に応じた回転数で回転して空気流を発生させることで、電力変換部２内の部品を冷却する。冷却ファンを判別する場合、駆動信号は所定の信号に設定される。この場合、所定の信号としての駆動信号は、例えば、冷却ファン３１の回転数に応じた一定の電圧値を有する直流電圧信号でもよいし、冷却ファン３１の回転数に応じたデューティ比を有するＰＷＭ（Pulse Width Modulation）信号であってもよい。本実施形態では、駆動信号としてデューティ比を有するＰＷＭ信号を用いる。
【００１７】
検出部３２は、例えば冷却ファン３１に組み込まれたロータリエンコーダである。検出部３２は、冷却ファン３１の回転数を検出する。検出部３２は、検出した回転数を示す回転出力信号をセンサ線を介して制御部５に出力する。
【００１８】
記憶部６には、判別テーブル及び制御パラメータテーブルが記憶されている。図２に、記憶部６に記憶された判別テーブルの一例を示す。判別テーブルは、ファンの種類と回転数範囲とが対応付けられて格納されている。判別テーブルに格納されたファンの種類は、電源装置１の冷却ファン３１として使用可能な冷却ファンの種類であり、本実施形態では冷却ファンＡ及び冷却ファンＢの各種類である。
【００１９】
次に上述の判別テーブルに格納された回転数範囲について、図を用いて説明する。図３は、冷却ファンＡと冷却ファンＢとのそれぞれの冷却特性を示す図である。種類の異なる冷却ファンＡ，Ｂは、それぞれ異なる冷却特性を有する。すなわち、冷却ファンＡと冷却ファンＢとは、同様のデューティ比の駆動信号を受信しても、それぞれ異なる回転数で回転する。よって、所定の駆動信号を受信した場合の冷却ファンＡと冷却ファンＢとの各回転数範囲が判別テーブルに記憶されている。なお、所定の駆動信号とは、冷却ファン３１を起動させる（回転させる）ために、制御部５から冷却ファンに出力される駆動信号であり、所定の制御パラメータ、すなわち所定の回転数に基づいた信号である。なお、起動とは、冷却ファン３１を回転させるために、冷却ファン３１に通電することである。このような特性の違いから、冷却ファンの種類を判別することができる。
【００２０】
図４に、記憶部６に記憶された制御パラメータテーブルの一例を示す。図４（ａ）は、記憶部６に記憶された、冷却ファンＡの制御パラメータテーブルの一例を示す。図４（ｂ）は、記憶部６に記憶された、冷却ファンＢの制御パラメータテーブルの一例を示す。
【００２１】
制御パラメータテーブルは、電力変換部２の周囲温度の温度範囲と、回転数とが対応付けられている。制御パラメータテーブルには、周囲温度Ｔの温度範囲として、互いに異なる複数の温度範囲が設定されている。例えば、Ｔ１＜Ｔ≦Ｔ２、Ｔ２＜Ｔ≦Ｔ３等である。回転数は、冷却ファン３１の回転数であり、周囲温度Ｔが高くなるにつれて、回転数も高くなるように、すなわち風量を上げ冷却性能を上げるように、温度範囲と冷却ファンの回転数とが対応付けられている。図４（ａ）に示す例では、冷却ファンＡについて、回転数Ｒ５，Ｒ６，…，Ｒ１０に対して温度範囲Ｔ１＜Ｔ≦Ｔ２，Ｔ２＜Ｔ≦Ｔ３，…，Ｔ６＜Ｔ≦Ｔ７が対応づけられている。また、図４（ｂ）に示す例では、冷却ファンＢについて、回転数Ｒ１１，Ｒ１２，…，Ｒ１６に対して温度範囲Ｔ８＜Ｔ≦Ｔ９，Ｔ９＜Ｔ≦Ｔ１０，…，Ｔ１３＜Ｔ≦Ｔ１４が対応づけられている。このように、回転数に対応づけられる温度範囲は、冷却ファンＡと冷却ファンＢとで異なっており、制御パラメータが異なっている。このように、使用される冷却ファンに応じて制御パラメータが異なるため、使用される冷却ファン毎に予め制御パラメータテーブルを用意する。
【００２２】
制御部５は、冷却ファン部３と電力変換部２と記憶部６とに接続されている。冷却ファンを起動して回転させる場合、制御部５は、冷却ファン３１に所定の駆動信号を出力する。制御部５は、所定の駆動信号により冷却ファン３１が回転した際の回転出力信号を検出部３２から取得する。制御部５は、記憶部６から判別テーブルを読み出し、取得した回転数がどの回転数範囲にあるか判別することで、自装置に接続された冷却ファンの種類を特定する。
【００２３】
制御部５は、温度センサから電力変換部２の周囲温度（以下、「周囲温度」という。）Ｔを一定周期毎に取得する。制御部５は、記憶部６から特定した冷却ファンの制御パラメータテーブルを読み出し、取得した周囲温度Ｔがどの温度範囲にあるか判別することで、冷却ファンの回転数を取得する。
制御部５は、取得した回転数に応じた駆動信号を生成し、生成した駆動信号を冷却ファン３１に出力する。
【００２４】
次に、本発明の電源装置１の動作について、図を用いて説明する。図５は、本発明の電源装置１の動作のフローチャートである。概略的には、本発明の電源装置１は、冷却ファン３１が、特性の異なる冷却ファンＡと冷却ファンＢとの何れかであるかを判別し、判別された冷却ファンの特性に応じた制御パラメータを取得して冷却ファン３１の回転を制御する。なお、初期状態として、電源装置１に接続されている冷却ファン３１は停止しており、回転していない状態を想定する。
【００２５】
ステップＳ１０１において、制御部５は、冷却ファン３１を起動し回転させるために、所定の駆動信号を発生させて冷却ファン３１に出力する。
ステップＳ１０２において、冷却ファン３１が所定の駆動信号に応じた回転数で回転すると、この回転数Ｒを表す回転出力信号を検出部から制御部５に出力する。
【００２６】
ステップＳ１０３において、制御部５は、回転出力信号を受信すると、回転出力信号から回転数Ｒを算出する。そして、制御部５は、記憶部６に予め記憶してある図３の判別テーブルを参照し、算出した回転数ＲがＲ１より高く、Ｒ２以下である場合、自装置に冷却ファンＡが接続されていると判定する（ステップＳ１０３：Ｒ１＜Ｒ≦Ｒ２）。一方、制御部５は、算出した回転数ＲがＲ３より高く、Ｒ４以下である場合、自装置に冷却ファンＢが接続されていると判定する（ステップＳ１０３：Ｒ３＜Ｒ≦Ｒ４）。これにより、冷却ファン３１の種類が特定される。
【００２７】
ステップＳ１０４において、制御部５は、温度センサから電力変換部２の周囲温度Ｔを取得する。そして、制御部５は、記憶部６から冷却ファンＡの制御パラメータテーブル（図４（ａ））を読み出す。制御部５は、周囲温度Ｔが読み出した冷却ファンＡの制御パラメータテーブルに示す温度範囲のどの領域に入っているか調べ、その温度範囲に対応した回転数を取得する。
【００２８】
ステップＳ１０５において、制御部５は、温度センサから電力変換部２の周囲温度Ｔを取得する。そして、制御部５は、記憶部６から冷却ファンＢの制御パラメータテーブル（図４（ｂ））を読み出す。制御部５は、周囲温度Ｔが読み出した冷却ファンＢの制御パラメータテーブルに示す温度範囲のどの領域に入っているか調べ、その温度範囲に対応した回転数を取得する。
これにより、上記特定された冷却ファン３１の制御パラメータが取得される。
制御部５は、上記取得した制御パラメータを用いて冷却ファン３１の回転を制御する。
即ち、ステップＳ１０６において、制御部５は、取得した回転数に応じた駆動信号を生成し、生成した駆動信号を冷却ファン３１に出力する。冷却ファン３１は、駆動信号を取得し、取得した駆動信号が示す回転数で回転する。そして、冷却ファン３１は、電力変換部２を冷却する。
【００２９】
上述したように、本実施形態によれば、電源装置１は、電力変換部２、冷却ファン３１、検出部３２、制御部５及び記憶部６を有する。制御部５は、所定の駆動信号を冷却ファン３１に出力し、冷却ファン３１を駆動する。検出部３２は、冷却ファン３１の回転数を検出し、検出した回転数Ｒを示す回転出力信号を制御部５に出力する。制御部５は、記憶部６から判別テーブルを読み出し、回転数Ｒが判別テーブルのどの回転数範囲にあるかで、自装置に接続された冷却ファンを特定する。また、制御部５は、記憶部６から特定した冷却ファンの制御パラメータテーブルを読み出し、取得した周囲温度Ｔがどの温度範囲にあるか判別することで、回転数を取得する。制御部５は、取得した回転数に基づいた駆動信号を冷却ファン３１に出力し、冷却ファン３１の回転を制御する。これにより、冷却ファン部３側に識別情報を備えることなく、冷却ファン３１を識別し、その特性に応じて冷却ファン３１の回転を制御することができる。
【００３０】
以上、本発明の実施形態について図面を参照して詳述してきたが、具体的な構成はこの実施形態に限られるものではなく、この発明の要旨を逸脱しない範囲の変更等も含まれる。
【００３１】
上述の実施形態では、制御部５は、電力変換部２から周囲温度Ｔを取得し、取得した周囲温度Ｔが制御パラメータテーブルのどの温度範囲にあるか判別することで、回転数を取得したが、これに限られるものではない。例えば、制御部５は、周囲温度Ｔに限らず、例えば、電力変換部２の必要な冷却量、すなわち制御パラメータを決定するための情報、例えば消費電力、負荷電流、内部温度、風量等を取得し、取得した情報に対応する回転数を読み出してもよい。また、これらの任意の組み合わせの情報を取得してもよい。その際、制御パラメータテーブルには、取得した情報と、回転数とが対応付けられている。また、電力変換部２の必要な冷却量を決定するための情報を組み合わせて、それに対応する回転数を読み出してもよい。
【００３２】
また、上述の実施形態では、制御部５は、１つの所定の駆動信号に応じた冷却ファンの回転数から自装置に接続された冷却ファンを特定したが、これに限定されるものではない。例えば、制御部５は、所定の駆動信号を複数用意し、その複数の駆動信号毎の冷却ファンの回転数から自装置に接続された冷却ファンを特定してもよい。これより、冷却ファン３１の特定の判定精度を高めることができる。
【００３３】
また、冷却ファン３１の識別は、電源装置１の出荷前検査時、冷却ファンの交換時、電源装置１の起動時のいずれかの場合に実施される。なお、電源装置１の出荷前検査時においては、冷却ファンの識別の識別結果を記憶部６に記憶する。
【符号の説明】
【００３４】
１  電源装置
２  電力変換部
３  冷却ファン部
４  入力部
５  制御部
６  記憶部
７  出力部
３１  冷却ファン
３２  検出部
【図１】
2015220317.tif 000003
【図２】
2015220317.tif 000004
【図３】
2015220317.tif 000005
【図４】
2015220317.tif 000006
【図５】
2015220317.tif 000007